(57)【要約】【課題】秘匿性を有する情報を無線通信により、特定者に配信する場合、配信時毎に周波数を変化させる、あるいは、チャネルを変えることがあるが、通信資源の限界もあり、秘匿性保持に限界がある。【解決手段】  配信する秘匿情報を３箇所以上の複数の基地局から送信する手段を備え、各基地局から配信先受信装置への電波の到達時間を基に配信遅延時間を算出する。各基地局では、配信開始基準時刻から配信遅延時間待機した後、暗号処理した配信情報を変調・送信することにより、受信装置では同一時刻に情報を受信し、指定の時間の間のみ情報を受信できるようにする。【選択図】図１
2005223529.tif 000002
【特許請求の範囲】
【請求項１】
配信情報を保持し、前記配信情報の配信先を指定する情報配信センタ局と、
前期情報配信センタ局から情報配信の指示を受け、前記配信情報を配信する３箇所以上の複数の基地局と、
前記複数の基地局からの前記配信情報を受信する手段を有する配信情報受信装置とで構成する無線通信ネットワークにおける秘匿情報配信方法であって、
前記情報配信センタ局は、前記配信情報を前記複数の基地局毎に分割して基地局に割り当てた基地局毎配信情報が、前記複数の基地局から前記配信情報受信装置に到達する時間である基地局毎電波到達時間を算出し、
前記基地局毎電波到達時間から前記基地局毎配信情報が前記配信情報受信装置に同期して交差する基地局毎の基地局毎配信遅延時間を算出し、
前記複数の基地局に、配信開始基準時刻と、前記基地局毎配信遅延時間と前記基地局毎配信情報を配信し、
前記複数の基地局は前記配信開始基準時刻より、前記基地局毎配信遅延時間待機した後、前記基地局毎配信情報を変調して無線ネットワークを介して配信し、
前記配信情報受信装置は前記複数の基地局からの前記基地局毎配信情報を同期した時刻に受信することを特徴とする秘匿情報配信方法。
【請求項２】
請求項１記載の秘匿情報配信方法であって、
前記情報配信センタ局は、前記配信開始基準時刻と、前記基地局毎配信遅延時間に加え、
前記配信情報を暗号化して前記複数の基地局毎に分割して割り当てた基地局毎暗号化配信情報と、
前記複数の基地局が前記基地局毎暗号化配信情報を定めた時間の間に変調する送信パルス時間と、
前記配信情報受信装置が定めた時間の間に前記複数の基地局からの前記基地局毎暗号化配信情報を取り込むデータ取り込み時間と、を配信し、
前記複数の基地局は、前記データ取り込み時間と、
前記基地局毎暗号化配信情報を前記送信パルス時間の間で変調して前記配信情報受信装置に配信し、
前記配信情報受信装置は前記複数の基地局からの前記基地局毎暗号化配信情報を前記データ取り込み時間の間に復調することを特徴とする請求項１記載の秘匿情報配信方法。
【請求項３】
配信情報を保持し、前記配信情報の配信先を指定する情報配信センタ局と、
前期情報配信センタ局から情報配信の指示を受け、前記配信情報を配信する３箇所以上の複数の基地局と、
前記複数の基地局からの前記配信情報を受信する手段を有する配信情報受信装置とで構成する無線通信ネットワークにおける無線通信ネットワークを介した秘匿情報配信システムであって、
前記情報配信センタ局、及び、前記複数の基地局は時間を同期させる手段を備え、
前記情報配信センタ局は、前記配信情報を前記複数の基地局毎に分割して基地局に割り当てた基地局毎配信情報が、前記複数の基地局から前記配信情報受信装置に到達する時間を算出する手段と、
前記基地局毎電波到達時間から前記基地局毎配信情報が前記配信情報受信装置に同期して交差する基地局毎の基地局毎配信遅延時間を算出する手段と、を備え、
前記複数の基地局は、前期情報配信センタ局からの前記配信開始時刻より、前記配信遅延時間待機した後、前記基地局毎配信情報を変調する手段を備え、
前記配信情報受信装置は、前記複数の基地局からの前記基地局毎配信情報を同期して受信できる手段を備えて構成することを特徴とする秘匿情報配信システム。
【発明の詳細な説明】
【技術分野】
【０００１】
本発明は、一定区域内の限定した特定エリアにおける無線通信に係わり、特に、特定エリア存在する人に秘匿性を保って情報の配信を行う特定エリア秘匿情報配信システムに関する。
【背景技術】
【０００２】
近年、発達した通信技術を利用して膨大な情報のやり取りが世界のいたる所で行われている。情報の中には通信相手以外の他者に絶対知られてはならない秘密情報も多くあり、このための技術として、秘匿通信の技術、暗号化技術が発展してきている。特に、特定グループ内の秘密情報を特定者に知らせる必要がある場合、高い秘匿性を保ちながら、特定者のみに情報を通知することが要求され、特定者以外が配信した情報を受信できないようにすることが重要である。
【０００３】
無線通信による特定区域（特定者）との通信方法として、特許文献１では、基地局のカバー範囲内の特定エリア内の移動端末に対し、区域全般に報知する一斉報知チャネルとは別に特定の報知情報を伝達するためのチャネルを設定することにより、特定区域内の特定の移動体端末との通信を行う技術が開示されている。
【特許文献１】特開平１１−２２０７６４号公報
【発明の開示】
【発明が解決しようとする課題】
【０００４】
秘匿性を保ちながら情報を通知する方法として、従来、通信回線を固定化して、情報には暗号処理を施すことにより、情報を通知することが行われている。
【０００５】
回線を固定化することにより、有線通信を利用した場合は、無線通信に比較し、秘匿性に優れた通信を行うことが可能である。無線通信の場合は回線固定化のため、情報配信時毎に周波数を変化、チャネルを変化させる方法がある。しかしながら、使用できる周波数帯域の制約もあり、秘匿性を保つことには限界がある。
【０００６】
また、通信回線を固定化しても電波の届く範囲では、電波はいたる所に存在するため有線の場合に比較して秘匿性を保って通信を行うことが難しい。
【０００７】
解決しようとする問題点は、無線電波が使用する資源を増加させる事なく、秘匿性を有する情報の配信を行う事である。
【課題を解決するための手段】
【０００８】
第１の発明は、秘匿した配信情報を特定エリアの配信情報受信装置に配信する秘匿情報配信方法である。
【０００９】
配信情報を保持し、前記配信情報の配信先を指定する情報配信センタ局と、前期情報配信センタ局から情報配信の指示を受け、前記配信情報を配信する３箇所以上の複数の基地局と、前記複数の基地局からの前記配信情報を受信する手段を有する配信情報受信装置とで結ばれた無線通信ネットワークで構成する。
【００１０】
前記情報配信センタ局は、前記配信情報を前記複数の基地局毎に分割して基地局に割り当てた基地局毎配信情報が、前記複数の基地局から前記配信情報受信装置に到達する時間である基地局毎電波到達時間を算出し、前記基地局毎電波到達時間から前記基地局毎配信情報が前記配信情報受信装置に同期して交差する基地局毎の基地局毎配信遅延時間を算出する。
【００１１】
前記情報配信センタ局は、前記複数の基地局に、配信開始基準時刻と、前記基地局毎配信遅延時間と前記基地局毎配信情報を配信する。
【００１２】
前記複数の基地局は、前記配信開始基準時刻より、前記基地局毎配信遅延時間待機した後、前記基地局毎配信情報を変調して無線ネットワークを介して配信する。
【００１３】
前記配信情報受信装置は、前記複数の基地局からの前記基地局毎配信情報を同期した時刻に受信する。
【００１４】
第２の発明は、第１の発明を活用して、更に秘匿性を高める方法を加えた秘匿情報配信方法である。
【００１５】
前記情報配信センタ局は、前記配信開始基準時刻と、前記基地局毎配信遅延時間に加え、
前記配信情報を暗号化して前記複数の基地局毎に分割して割り当てた基地局毎暗号化配信情報と、前記複数の基地局が前記基地局毎暗号化配信情報を定めた時間の間に変調する送信パルス時間と、前記配信情報受信装置が定めた時間の間に前記複数の基地局からの前記基地局毎暗号化配信情報を取り込むデータ取り込み時間と、を配信する。
【００１６】
前記複数の基地局は、前記データ取り込み時間と、前記基地局毎暗号化配信情報を前記送信パルス時間の間で変調して前記配信情報受信装置に配信する。
【００１７】
前記配信情報受信装置は、前記複数の基地局からの前記基地局毎暗号化配信情報を前記データ取り込み時間の間に復調する。
【００１８】
第３の発明は、第１の発明、第２の発明を活用した特定エリアにおける秘匿情報配信システムである。
【００１９】
配信情報を保持し、前記配信情報の配信先を指定する情報配信センタ局と、前期情報配信センタ局から情報配信の指示を受け、前記配信情報を配信する３箇所以上の複数の基地局と、前記複数の基地局からの前記配信情報を受信する手段を有する配信情報受信装置とで構成する無線通信ネットワークにおける無線通信ネットワークを介した秘匿情報配信システムである。
【００２０】
前記情報配信センタ局、及び、前記複数の基地局は時間を同期させる手段を備える。
【００２１】
前記情報配信センタ局は、前記配信情報を前記複数の基地局毎に分割して基地局に割り当てた基地局毎配信情報が、前記複数の基地局から前記配信情報受信装置に到達する時間を算出する手段と、前記基地局毎電波到達時間から前記基地局毎配信情報が前記配信情報受信装置に同期して交差する基地局毎の基地局毎配信遅延時間を算出する手段と、を備える。
【００２２】
前記複数の基地局は、前期情報配信センタ局からの前記配信開始時刻より、前記配信遅延時間待機した後、前記基地局毎配信情報を変調する手段を備える。
【００２３】
前記配信情報受信装置は、前記複数の基地局からの前記基地局毎配信情報を同期して受信できる手段を備える。
【発明を実施するための最良の形態】
【００２４】
図１は特定エリアにおける秘匿情報配信システム構成図である。情報配信センタ局１０と情報配信センタ局１０からの指示により、情報を配信する基地局１  １１、基地局２  １２、基地局３  １３を設置し、有線通信ネットワーク１で結ばれている。また、各基地局からの情報の配信を受信する特定エリアＡ受信装置１４、特定エリアＢ受信装置１５、特定エリアＣ受信装置１６を設置し、無線通信ネットワーク２で結ばれている。情報配信センタ局１０には情報配信メインサーバを配置し、基地局１、基地局２、基地局３には各々、情報配信サーバ１、情報配信サーバ２、情報配信サーバ３を設置する。この３箇所の基地局より、情報配信メインサーバの指定した特定エリアに秘匿情報を電波として配信する。基地局の数は３箇所以上の複数の局で行う。この例では最小の３箇所の基地局の場合を示している。
【００２５】
情報取得者Ａ、情報取得者Ｂ、情報取得者Ｃは、特定エリアＡ受信装置、特定エリアＢ受信装置、特定エリアＣ受信装置においてが配信情報を受信する。情報受信は、予め移動先特定エリアの位置を登録しておくことにより、移動先特定エリアで受信しても良い。
【００２６】
また、τ１A  、τ２A  、τ３A  は各々後述する特定エリアＡへの情報配信センタ局１０から各基地局に指示する電波発信時の配信遅延時間を示している。配信遅延時間については後述する。
【００２７】
図２は本発明の一実施形態のセンタ局から基地局への指示情報である。基地局１への指示情報はコマンド信号、配信開始基準時刻、送信パルス時間、配信先特定エリア情報、暗号化配信情報、分割制御情報で構成する。基地局２、基地局３への指示情報は、配信開始基準時刻、送信パルス時間、配信先特定エリア情報、暗号化配信情報で構成する。コマンド信号は起動信号、データ取り込み時間で構成し、配信先特定エリア情報は受信装置の識別番号、配信遅延時間で構成する。分割制御情報は、配信情報の情報量が多い場合に分割してあることを示す情報である。
【００２８】
具体的な情報配信の処理手順を述べる前に、配信遅延時間、コマンド信号、送信パルス時間について述べる。
１)配信遅延時間
基地局から放射した電波が特定エリアの受信装置に届く時間は基地局と受信装置間の距離により、到達時間に差が生ずる。配信遅延時間は受信先での電波受信を同一時刻にするために情報配信センタ局から基地局への電波放射時刻制御の情報である。例えば、次の方法により算出する。
イ．基地局と受信装置との間の距離より電波が受信装置に到達するまでの到達時間を算出    する。基地局１についてはコマンド信号の送信に要する時間も換算する。
ロ．到達時間より逆算して、基地局での情報配信開始の基準時刻から各基地局で情報を配    信するまで待機する時間（以下、配信遅延時間）を算出する。τ１、τ２、τ３を各    基地局の配信遅延時間とすると以下となる。
【００２９】
τ１＝ｔ０+（ｔ２-ｔ１）
τ２＝ｔ０
τ３＝ｔ０+（ｔ２-ｔ３）
ここで、ｔ１、ｔ２、ｔ３は各々、各基地局から配信先間の距離から換算した電波    到達時間であり、この例では、基地局２と受信先との間での電波到達時間が最小とし    ている。また、ｔ０は情報配信センタ局から指示する、配信開始基準時刻から各基地    局が配信を開始までに要する処理時間である。
２）送信パルス時間
各基地局において、暗号化配信情報を変調する時間窓である。図４の基地局からの配信  情報に合わせて示す。基地局１では、暗号化配信情報、分割制御情報に加え、コマンド  信号を変調する時間である。基地局２、基地局３では暗号化配信情報を変調する時間と  なる。パルス時間としては、例えば、数拾ミリ秒から数秒程度の時間があり得る。情報  の秘匿性、配信情報より判断して情報配信センタ局で決める。送信パルス時間を短くす  ることにより、秘匿性を高めることができる。秘匿性については図１０の配信情報の復  元と併せて後述する。
３）コマンド信号
図３は本発明の一実施形態のコマンド信号を示す図である。コマンド信号は予め定めた基地局のみ(以下の例では基地局１)から送信し、配信先受信装置での電波受信の起動信号と受信した電波からデータを受信するデータ取り込み時間で構成する。データ取り込み時間は受信した情報を取り込む時間であり、受信した電波の内、指定の時間の間だけの情報を取り込み復調する。図３の例は、起動信号及び、パルスパターンが全て同一の一定のパルス幅、一定のパルス振幅のパルスの組み合わせによりコマンド信号を構成する場合を示している。このパルスパターンの組み合わせにより、予め定めたデータ取り込み時間を指定する。図３では、パルスパターンの組み合わせとして、最後のパルスＰ４は全て「１」の８種類のデータ取り込み時間をの例を示している。パターン１の場合、データ取り込み時間はＴＷ１となる。コマンド信号は暗号化したディジタル情報ではなくアナログ的なパルスの形状として送信する。受信装置ではコマンド信号はパルス波形の有無により、アナログ的に情報検出を行う。
【００３０】
コマンド信号のうち、データ取り込み時間のパルスパターンについては、起動パルスと同一の固定パルスではなくパルス幅をデータ取り込み時間幅に対応付けした可変幅のパルスとする方法もある。また、常時、一定のデータ取り込み時間で受信する場合は、このパルスパターンの送信は必要無い。
【００３１】
図４は本発明の一実施形態の基地局からの配信情報を示す図である。基地局１はコマンド信号、暗号化配信情報、分割制御情報で構成する。基地局２、基地局３は暗号化配信情報で構成する。分割制御情報は配信情報を分割した場合の一連の情報であることを示すための制御情報として、例えばディジタル情報の組み合わせで決めることにより可能である。
【００３２】
分割回数は変調速度に依存するが、例えば、数Ｍｂｙｔｅ程度の配信情報として１０分割程度が考えられる。
【００３３】
図５は本発明の一実施形態の情報配信処理手順を示す図である。
1）情報配信センタ局の送信フロー
Ｓ１：特定エリアへの情報通信の実行依頼に対し、情報配信の内容及び配信先を決        定する。配信内容については、配信情報量、秘匿性を判断して配信の分割回数を        決める。
【００３４】
Ｓ２：基地局と配信先の間の距離より、配信先受信装置への電波到達時間を算出し        、配信遅延時間に換算する。１回毎の配信情報を暗号化し、基地局１、基地局２        、基地局３向けに３分割する。
【００３５】
Ｓ３：基地局１にはコマンド信号、配信開始基準時刻、配信先特定エリア情報、振        り分けた暗号化配信情報と分割制御情報を併せて暗号化し、有線ネットワークに        より送信する。基地局２、基地局３には配信開始基準時刻、配信先特定エリア情        報、振り分けた暗号化配信情報を有線ネットワークを介して送信する。
２）各基地局での情報受信と情報配信フロー
Ｓ４：情報配信センタ局から配信された情報を受信する。
【００３６】
Ｓ５：各基地局の送信装置は受信したＧＰＳ電波より基準時刻を確認し、配信開始時刻        より配信遅延延時間待機の後、配信情報を電波として放射する。
３）配信先特定エリア受信装置での情報受信と処理フロー
Ｓ６：特定のエリアでは各基地局からの情報を受信する。基地局１からのコマンド信号        、分割制御情報を元に受信した情報を復調、暗号復号を行う。
【００３７】
Ｓ７：データ取り込み時間の間の受信電波を復調し、暗号復号を行い、配信情報を取得        する。
【００３８】
図６は本発明の一実施形態の基地局送信装置ブロック構成図である。情報配信メインサーバとインタフェースし、メインサーバからの情報を受信するメインサーバＩＦ２０、メインサーバからの情報である配信情報を配信情報受信部２１にて取り込み、同様に、コマンド信号受信部２５でコマンド信号を、送信パルス時間受信部２６で送信パルス時間を、配信先特定エリア情報受信部２８で配信先受信装置識別番号、及び配信遅延時間を受信する。コマンド信号受信部２５は基地局１のみが備え、基地局１では配信情報受信部で分割制御情報も併せて受信する。
【００３９】
基地局１では、結合部２２で配信情報とコマンド信号を結合し、変調部２３に送る。基地局２、基地局３では配信情報を直接変調部２３に送る。送信パルス時間受信部２６で受信した送信パルス時間より、変調時間制御部２７の制御により、変調部２３で結合部２２の出力を変調する。変調した配信情報を電波送信部２４に保持しておき、配信遅延時間制御部２９の各基地局毎の配信遅延時間の制御を受け電波送信部２４から、受信装置識別番号で指定された情報配信先特定エリア受信装置に向け電波放射する。
【００４０】
変調方式としては、一般的に行われている、ＦＤＭＡ(Ｆｒｅｑｕｅｎｃｙ  Ｄｉｖｉｓｉｏｎ  Ｍｕｌｔｉｐｕｌｅ  Ａｃｃｅｓｓ)、ＴＤＭＡ(Ｔｉｍｅ  Ｄｉｖｉｓｉｏｎ  Ｍｕｌｔｉｐｕｌｅ  Ａｃｃｅｓｓ)、ＣＤＭＡ（Ｃｏｄｅ  Ｄｉｖｉｓｉｏｎ  Ｍｕｌｔｉｐｕｌｅ  Ａｃｃｅｓｓ)などの方式で行う。ここでは詳細は省略する。基地局１、基地局２、基地局３においては、例えば、ＦＤＭＡで行う場合は各基地局からの変調周波数を基地局毎に区別する、あるいはＣＤＭＡの場合は拡散符号を基地局毎に区別する方法により変調方法を変えて行う。
【００４１】
これらの変調により、現状の技術では各基地局からは数Ｍｂｐｓの情報速度で各情報受信装置に送信される。
【００４２】
クロック信号発生部３１では、ＧＰＳ受信部３０で受信したＧＰＳ信号の現在時刻、基準クロック発生部３２からの基準クロックにより、メインサーバから指示の配信開始時刻との時刻合わせ、配信遅延時間の制御、送信装置の各部のクロック制御を行う。詳細は省略する。
【００４３】
図７は本発明の一実施形態の基地局情報配信タイミングを示す図である。各基地局の情報配信サーバからエリアＡ向けに配信開始基準時刻より、配信遅延時間τ１A  、τ２A 、τ３A 時間待機後、変調した情報を電波として放射する。ここでτの添え字「１A 」は基地局１からエリアＡ向けの情報配信の場合を表し、その他の表示も同様である。 また、複数エリア向けには各々のエリア向けの配信開始基準時刻より、例えば、エリアＢ向けには配信遅延時間τ１B 、τ２B 、τ３B の配信遅延時間で配信し、エリアＣ向けには配信遅延時間τ１C 、τ２C、τ３C で配信する。
【００４４】
図８は本発明の一実施形態の受信装置ブロック構成図である。電波受信部４０にて基地局１、基地局２、基地局３とインタフェースし、各基地局からの電波を各々、基地局１対応受信部４１、基地局２対応受信部４２、基地局３対応受信部４３で受信する。基地局１対応受信部４１より信号を受け、コマンド検出部４４にてコマンド信号を検出し、最初の起動パルスより配信情報の有無を検出し、後に続く４ケのパルスより、データ取り込みパターンを検出する。各パルスの検出は予め定めた一定電力のパルスの有無を検出すれば良い。詳細は省略する。２番目以降の４個のパルスパターンの組み合わせにより予め定めた取り込み時間に対応するデータ取り込み時間を決定する。データ取り込み時間設定部４５にて取り込み開始時間、取り込み時間の時間窓を設定し、データ取り込み時間制御部４６による制御により、基地局１対応データ取り込み部４７、基地局２対応データ取り込み部４８、基地局３対応データ取り込み部４９により、各基地局からのデータをデータ取り込み時間内のデータを取り込む。基地局１対応データ取り込み部４７で取り込んだデータは基地局１対応復調部５０で、基地局１の変調方式に対応した復調方式で復調する。同様に、基地局２対応データ取り込み部４８、基地局３対応データ取り込み部４９においても取り込んだデータを、基地局２対応復調部５１、基地局３対応復調部５２で各々対応した復調方式で復調する。これら各基地局対応復調部で復調したデータをデータ合成部５３に送り、各基地局からのデータを合成し、暗号復号部５４で、暗号復号を行い解読することにより、情報を取得する。
【００４５】
図９は本発明の一実施形態の受信データ取り込みを示す図である。基地局１で受信し、検出したコマンド信号よりパルスパターンで定めたデータ取り込み時間を設定し、パルスパターンの最後のパルスを起動させて、データ取り込み時間の間、各基地局からのデータを取り込む。
【００４６】
図１０は本発明の一実施形態の受信装置配信情報の復元を示す図である。特定エリアＡにおいては配信遅延時間の制御による受信時刻が一致するため、一定の時間窓の範囲において、配信情報を受信することが可能となる。一方、特定エリアＡ以外のエリア特定エリアＮにおいては、特定エリアＡとエリアＮへの電波到達時間の差より、特定エリアＮに特定エリアＡ向けの配信遅延時間τ１A  、τ２A 、τ３A で放射された電波の受信時刻に差が生ずるため、特定エリアＮで固定の時間窓内で情報復元は不可となる。
【００４７】
秘匿性に関し、一定のデータ取り込み時間の間に３箇所からのデータを同期とるために復調された情報の時間窓が短い（送信パルス時間が短い）程、同期を取るのが難しい。
【００４８】
また、特定エリア以外でのエリアで電波を傍受するためには、時間窓を大きくして配信情報を受信し、さらに暗号化された情報の暗号アルゴリズムを一致させることが必要であり、配信情報の復元は難しくなる。また、暗号アルゴリズムを一致できた場合においても、送信パルス時間が短い程、データ取り込み時間の間に対象の３箇所からの対象のデータ以外の情報が含まれる確率が高くなり、３箇所からの対象の情報を復元することは難しくなる。このように、送信パルス時間を制御することにより、秘匿性を制御することができる。
【００４９】
特定エリアでの秘匿情報受信の位置について、上述したように情報配信センタ局で情報受信者の位置が特定できれば良い。従って、情報受信者は固定の位置ではなく、移動局であっても良い。この場合、情報取得者は、ＧＰＳから自己の位置情報を取得し、予め登録して識別ＩＤによる情報配信センタ局との通信手段により、位置登録を行い、移動先の特定エリアで配信情報を受信する。
【図面の簡単な説明】
【００５０】
【図１】特定エリアにおける秘匿情報配信システム構成図である。
【図２】本発明の一実施形態のセンタ局から基地局への指示情報を示す図である。
【図３】本発明の一実施形態のコマンド信号を示す図である。
【図４】本発明の一実施形態の基地局からの配信情報を示す図である。
【図５】本発明の一実施形態の情報配信処理手順を示す図である。
【図６】本発明の一実施形態の基地局送信装置ブロック構成図である。
【図７】本発明の一実施形態の基地局情報配信タイミングを示す図である。
【図８】本発明の一実施形態の受信装置ブロック構成図である。
【図９】本発明の一実施形態の受信データ取り込みを示す図である。
【図１０】本発明の一実施形態の受信装置配信情報の復元を示す図である。
【符号の説明】
【００５１】
１    有線通信ネットワーク
２    無線通信ネットワーク
１０  情報配信センタ局（情報配信メインサーバ）
１１  基地局１（情報配信サーバ１）
１２  基地局２（情報配信サーバ２）
１３  基地局３（情報配信サーバ３）
１４  特定エリアＡ受信装置（情報取得者Ａ）
１５  特定エリアＢ受信装置（情報取得者Ｂ）
１６  特定エリアＣ受信装置（情報取得者Ｃ）
２０  メインサーバＩＦ
２１  配信情報受信部
２２  結合部
２３  変調部
２４  電波送信部
２５  コマンド信号受信部
２６  送信パルス時間受信部
２７  変調時間制御部
２８  配信特定エリア情報受信部
２９  配信遅延時間制御部
３０  ＧＰＳ受信部（基地局）
３１  クロック信号発生部（基地局）
３２  基準クロック発生部（基地局）
４０  電波受信部
４１  基地局１対応受信部
４２  基地局２対応受信部
４３  基地局３対応受信部
４４  コマンド検出部
４５  データ取り込み時間設定部
４６  データ取り込み時間制御部
４７  基地局１対応データ取り込み部
４８  基地局２対応データ取り込み部
４９  基地局３対応データ取り込み部
５０  基地局１対応復調部
５１  基地局２対応復調部
５２  基地局３対応復調部
５３  データ合成部
５４  暗号復号部
５５  ＧＰＳ受信部（受信装置）
５６  クロック信号発生部（受信装置）
５７  基準クロック発生部（受信装置）
【図１】
2005223529.tif 000003
【図２】
2005223529.tif 000004
【図３】
2005223529.tif 000005
【図４】
2005223529.tif 000006
【図５】
2005223529.tif 000007
【図６】
2005223529.tif 000008
【図７】
2005223529.tif 000009
【図８】
2005223529.tif 000010
【図９】
2005223529.tif 000011
【図１０】
2005223529.tif 000012